(57)【特許請求の範囲】
【請求項１】
サラウンド・サウンド・システムでの使用のために処理された第１組及び第２組のオーディオ信号を生成するように構成されている、移動体デバイス内の少なくとも１つのプロセッサであって、前記処理された第１組のオーディオ信号がユーザの前面に配置されている少なくとも２つのスピーカ用に指定されるオーディオ信号である、少なくとも１つのプロセッサと、
前記サラウンド・サウンド・システムでの使用のための処理された前記第１組のオーディオ信号を前記少なくとも２つのスピーカに供給するように適合され、しかも、第３の仮想スピーカを生成させている、少なくとも１つの出力部と、
前記サラウンド・サウンド・システムでの使用のために前記処理された第２組のオーディオ信号をヘッドホン・スピーカに供給するように適合された出力部と、
を備える移動体デバイス。
【請求項２】
処理されたオーディオ信号の前記第１組は、前チャネル処理モジュールから出力される請求項１に記載の移動体デバイス。
【請求項３】
処理されたオーディオ信号の前記第２組は、サラウンド・チャネル処理モジュールから出力される請求項１に記載の移動体デバイス。
【請求項４】
前記少なくとも１つのプロセッサは、複数のオーディオ・チャネル内のオーディオ信号を処理するように構成された処理モジュールを備え、前記複数のオーディオ・チャネルは、前オーディオ・チャネル及びサラウンド・オーディオ・チャネルを備える請求項１に記載の移動体デバイス。
【請求項５】
前記処理モジュールは、前記前オーディオ・チャネルがスピーカ・チャネル内で製作されるようにするために前記前オーディオ・チャネル内の前記オーディオ信号を処理するように構成された前チャネル処理モジュールを備える請求項４に記載の移動体デバイス。
【請求項６】
前記処理モジュールは、前記サラウンド・オーディオ・チャネルがヘッドホン・チャネル内で製作されるようにするために、前記サラウンド・オーディオ・チャネル内の前記オーディオ信号を処理するように構成されたサラウンド・チャネル処理モジュールを備える請求項４に記載の移動体デバイス。
【請求項７】
前記複数のオーディオ・チャネルは、低周波数効果チャネルをさらに備え、前記処理モジュールは、前記低周波数効果チャネルがヘッドホン・チャネル内で製作されるようにするために、前記低周波数効果チャネル内の前記オーディオ信号を処理するように構成されたサラウンド・チャネル処理モジュールを備える請求項４に記載の移動体デバイス。
【請求項８】
前記前オーディオ・チャネルは、左オーディオ・チャネル及び右オーディオ・チャネルを備え、前記処理モジュールは、漏話除去のために前記左オーディオ・チャネル及び前記右オーディオ・チャネル内の前記オーディオ信号を処理するように構成された漏話除去コンポーネントを備える請求項４に記載の移動体デバイス。
【請求項９】
前記処理モジュールは、バイノーラル処理技法を使用して前記サラウンド・オーディオ・チャネル内の前記オーディオ信号を処理するように構成されたバイノーラル処理コンポーネントを備える請求項４に記載の移動体デバイス。
【請求項１０】
前記処理モジュールは、前記少なくとも２つのスピーカからユーザの耳までの音響遅延を補償するためにヘッドホン・チャネル経路に遅延を追加するように構成された遅延コンポーネントを備える請求項４に記載の移動体デバイス。
【請求項１１】
スピーカ・チャネルとヘッドホン・チャネルとの両方のためのディジタル−アナログ変換を実行するディジタル−アナログ変換器をさらに備える請求項１に記載の移動体デバイス。
【請求項１２】
処理されたオーディオ信号の前記第１組のためのディジタル−アナログ変換を実行する少なくとも１つのディジタル−アナログ変換器をさらに備え、処理されたオーディオ信号の前記第２組は、アナログ・データとしてヘッドセットに供給され、処理されたオーディオ信号の前記第２組のためのディジタル−アナログ変換は、前記ヘッドセットによって実行される請求項１に記載の移動体デバイス。
【請求項１３】
前記移動体デバイスと前記ヘッドセットとの間に無線リンクがある請求項１２に記載の移動体デバイス。
【請求項１４】
前記移動体デバイスと前記ヘッドセットとの間の通信は、Ｂｌｕｅｔｏｏｔｈ（登録商標）プロトコルに従って行われる請求項１３に記載の移動体デバイス。
【請求項１５】
前記移動体デバイスと前記ヘッドセットとの間の通信は、米国電気電子技術者協会無線通信プロトコルに従って行われる請求項１３に記載の移動体デバイス。
【請求項１６】
サラウンド・サウンド・システムでの使用のために移動体デバイス内で処理された第１組及び第２組のオーディオ信号を生成することであって、前記処理された第１組のオーディオ信号がユーザの前面に配置されている少なくとも２つのスピーカ用に指定されるオーディオ信号である、生成することと、
前記少なくとも２つのスピーカに前記サラウンド・サウンド・システムでの使用のために前記移動体デバイスで前記処理された第１組のオーディオ信号を再生させ、しかも、第３の仮想スピーカを生成させている、再生させることと、
ヘッドホンに前記サラウンド・サウンド・システムでの使用のために前記処理された第２組のオーディオ信号を再生させることと、
を備える、前記移動体装置におけるスピーカ及びヘッドホンを使用してサラウンド・サウンドを提供する方法。
【請求項１７】
処理されたオーディオ信号の前記第１組は、前チャネル処理モジュールから出力される請求項１６に記載の方法。
【請求項１８】
処理されたオーディオ信号の前記第２組は、サラウンド・チャネル処理モジュールから出力される請求項１６に記載の方法。
【請求項１９】
処理されたオーディオ信号の前記第１組及び前記第２組を製作することは、複数のオーディオ・チャネル内のオーディオ信号を処理することを備え、前記複数のオーディオ・チャネルは、前オーディオ・チャネル、サラウンド・オーディオ・チャネル及び低周波数効果チャネルを備える請求項１６に記載の方法。
【請求項２０】
前記複数のオーディオ・チャネル内の前記オーディオ信号を処理することは、
前記前オーディオ・チャネルがスピーカ・チャネル内で製作されるようにするために、前記前オーディオ・チャネル内の前記オーディオ信号を処理することと、
前記サラウンド・オーディオ・チャネルがヘッドホン・チャネル内で製作されるようにするために、前記サラウンド・オーディオ・チャネル内の前記オーディオ信号を処理することと、
前記低周波数効果チャネルが前記ヘッドホン・チャネル内で製作されるようにするために、前記低周波数効果チャネル内の前記オーディオ信号を処理することと、
を備える請求項１９に記載の方法。
【請求項２１】
サラウンド・サウンド・システムでの使用のための処理された第１組及び第２組のオーディオ信号を生成するための手段であって、前記処理された第１組のオーディオ信号がユーザの前面に配置されている少なくとも２つのスピーカ用に指定されるオーディオ信号である、生成するための手段と、
前記サラウンド・サウンド・システムでの使用のために前記処理された第１組のオーディオ信号を前記少なくとも２つのスピーカに供給するための手段であって、第３の仮想スピーカを生成させている、供給するための手段と、
前記サラウンド・サウンド・システムでの使用のために前記処理された第２組のオーディオ信号をヘッドホン・スピーカに供給するための手段と、
を備える移動体デバイス。
【請求項２２】
処理されたオーディオ信号の前記第１組は、前チャネル処理モジュールから出力される請求項２１に記載の移動体デバイス。
【請求項２３】
処理されたオーディオ信号の前記第２組は、サラウンド・チャネル処理モジュールから出力される請求項２１に記載の移動体デバイス。
【請求項２４】
処理されたオーディオ信号の前記第１組及び前記第２組を生成するための前記手段は、複数のオーディオ・チャネル内のオーディオ信号を処理するための手段を備え、前記複数のオーディオ・チャネルは、前オーディオ・チャネル、サラウンド・オーディオ・チャネル及び低周波数効果チャネルを備える請求項２１に記載の移動体デバイス。
【請求項２５】
前記複数のオーディオ・チャネル内の前記オーディオ信号を処理するための前記手段は、
前記前オーディオ・チャネルがスピーカ・チャネル内で製作されるようにするために、前記前オーディオ・チャネル内の前記オーディオ信号を処理するための手段と、
前記サラウンド・オーディオ・チャネルがヘッドホン・チャネル内で製作されるようにするために、前記サラウンド・オーディオ・チャネル内の前記オーディオ信号を処理するための手段と、
前記低周波数効果チャネルが前記ヘッドホン・チャネル内で製作されるようにするために、前記低周波数効果チャネル内の前記オーディオ信号を処理するための手段と、
を備える請求項２４に記載の移動体デバイス。
【請求項２６】
スピーカ及びヘッドフォンを用いて移動体デバイスにサラウンド・サウンドを提供する命令から構成されるプログラムを格納しているコンピュータ可読記録媒体において、前記命令が前記移動体デバイス内のプロセッサによって実行される時に、前記プロセッサに、
サラウンド・サウンド・システムでの使用のために前記移動体デバイス内で処理された第１組及び第２組のオーディオ信号を生成させることであって、前記処理された第１組のオーディオ信号がユーザの前面に配置されている少なくとも２つのスピーカ用に指定されるオーディオ信号である、生成させることと、
前記サラウンド・サウンド・システムでの使用のために前記処理された第１組のオーディオ信号を前記少なくとも２つのスピーカに供給させることであって、第３の仮想スピーカを生成させている、供給させることと、
前記サラウンド・サウンド・システムでの使用のために前記処理された第２組のオーディオ信号を前記ヘッドホン・スピーカに供給させることと、
を実行させているコンピュータ可読記録媒体。
【請求項２７】
処理されたオーディオ信号の前記第１組は、前チャネル処理モジュールから出力される請求項２６に記載のコンピュータ可読記録媒体。
【請求項２８】
処理されたオーディオ信号の前記第２組は、サラウンド・チャネル処理モジュールから出力される請求項２６に記載のコンピュータ可読記録媒体。
【請求項２９】
処理されたオーディオ信号の前記第１組及び前記第２組を生成することは、複数のオーディオ・チャネル内のオーディオ信号を処理することを備え、前記複数のオーディオ・チャネルは、前オーディオ・チャネル、サラウンド・オーディオ・チャネル及び低周波数効果チャネルを備える請求項２６に記載のコンピュータ可読記録媒体。
【請求項３０】
前記複数のオーディオ・チャネル内の前記オーディオ信号を処理することは、
前記前オーディオ・チャネルがスピーカ・チャネル内で製作されるようにするために、前記前オーディオ・チャネル内の前記オーディオ信号を処理することと、
前記サラウンド・オーディオ・チャネルがヘッドホン・チャネル内で製作されるようにするために、前記サラウンド・オーディオ・チャネル内の前記オーディオ信号を処理することと、
前記低周波数効果チャネルが前記ヘッドホン・チャネル内で製作されるようにするために、前記低周波数効果チャネル内の前記オーディオ信号を処理することと、
を備える請求項２９に記載のコンピュータ可読記録媒体。
【請求項３１】
スピーカ及びヘッドホンを使用してサラウンド・サウンドを提供するための移動体デバイスの集積回路であって、
サラウンド・サウンド・システムでの使用のための処理された第１組及び第２組のオーディオ信号を生成することであって、前記処理された第１組のオーディオ信号がユーザの前面に配置されている少なくとも２つのスピーカ用に指定されるオーディオ信号である、生成することと、
前記サラウンド・サウンド・システムでの使用のための処理された前記第１組のオーディオ信号を前記少なくとも２つのスピーカに供給することであって、第３の仮想スピーカを生成させている、供給することと、
前記サラウンド・サウンド・システムでの使用のために前記処理された第２組のオーディオ信号をヘッドホン・スピーカに供給することと、
をなすように構成された集積回路。
【請求項３２】
処理されたオーディオ信号の前記第１組は、前チャネル処理モジュールから出力される請求項３１に記載の集積回路。
【請求項３３】
処理されたオーディオ信号の前記第２組は、サラウンド・チャネル処理モジュールから出力される請求項３１に記載の集積回路。
【請求項３４】
処理されたオーディオ信号の前記第１組及び前記第２組を生成することは、複数のオーディオ・チャネル内のオーディオ信号を処理することを備え、前記複数のオーディオ・チャネルは、前オーディオ・チャネル、サラウンド・オーディオ・チャネル及び低周波数効果チャネルを備える請求項３１に記載の集積回路。
【請求項３５】
前記複数のオーディオ・チャネル内の前記オーディオ信号を処理することは、
前記前オーディオ・チャネルがスピーカ・チャネル内で製作されるようにするために、前記前オーディオ・チャネル内の前記オーディオ信号を処理することと、
前記サラウンド・オーディオ・チャネルがヘッドホン・チャネル内で製作されるようにするために、前記サラウンド・オーディオ・チャネル内の前記オーディオ信号を処理することと、
前記低周波数効果チャネルが前記ヘッドホン・チャネル内で製作されるようにするために、前記低周波数効果チャネル内の前記オーディオ信号を処理することと、
を備える請求項３４に記載の集積回路。
【発明の詳細な説明】
【技術分野】
【０００１】
関連出願
本開示は、全般的にはオーディオ処理に関する。より具体的には、本開示は、サラウンド・サウンド・テクノロジに関する。
【０００２】
優先権の主張
本特許出願は、２００８年６月１０日に出願され、本願の譲受人に譲渡され、これによって特に参照によって本明細書に組み込まれている、米国仮出願第６１／０６０２９４号、名称「ＳＹＳＴＥＭＳ  ＡＮＤ  ＭＥＴＨＯＤＳ  ＦＯＲ  ＰＲＯＶＩＤＩＮＧ  ＳＵＲＲＯＵＮＤ  ＳＯＵＮＤ  ＵＳＩＮＧ  ＳＰＥＡＫＥＲＳ  ＡＮＤ  ＨＥＡＤＰＨＯＮＥＳ」の優先権を主張するものである。
【背景技術】
【０００３】
本明細書で使用されるときに、用語「サラウンド・サウンド」は、全般的に、リスナが複数の方向から来るサウンドを知覚する形でのサウンドの製作に関する。複数のオーディオ・チャネルを、サラウンド・サウンドを作成するのに使用することができる。異なるオーディオ・チャネルを、リスナの前、リスナの後ろ、リスナの横、その他など、異なる方向から来るものとして知覚されることを意図されたものとすることができる。
【０００４】
本明細書で使用されるときに、用語「前（フロント）オーディオ・チャネル」は、全般的に、リスナの前のどこかである、ある位置から来るものとして知覚されることを意図されたオーディオ・チャネルを指す。用語「サラウンド・オーディオ・チャネル」は、全般的に、リスナの後のどこかである、ある位置から来るものとして知覚されることを意図されたオーディオ・チャネルを指す。用語「サラウンド・サイド・オーディオ・チャネル」は、全般的に、リスナの横のどこかである、ある位置から来るものとして知覚されることを意図されたオーディオ・チャネルを指す。
【０００５】
サラウンド・サウンド構成の一例が、５．１サラウンド・サウンドである。５．１サラウンド・サウンドに関して、５つのオーディオ・チャネル及び１つの低周波数効果チャネルがあるものとすることができる。５つのオーディオ・チャネルは、３つの前オーディオ・チャネル（左(レフト）オーディオ・チャネル、右（ライト）オーディオ・チャネル及び中央(センター）オーディオ・チャネル）及び２つのサラウンド・オーディオ・チャネル（左サラウンド・オーディオ・チャネル及び右サラウンド・オーディオ・チャネル）を含むことができる。
【０００６】
サラウンド・サウンド構成の一例が、７．１サラウンド・サウンドである。７．１サラウンド・サウンドに関して、７つのオーディオ・チャネル及び１つの低周波数効果チャネルがあるものとすることができる。７つのオーディオ・チャネルは、３つの前オーディオ・チャネル（左オーディオ・チャネル、右オーディオ・チャネル及び中央オーディオ・チャネル）、２つのサラウンド・オーディオ・チャネル（左サラウンド・オーディオ・チャネル及び右サラウンド・オーディオ・チャネル）、及び２つのサラウンド・サイド・オーディオ・チャネル（左サラウンド・サイド・オーディオ・チャネル及び右サラウンド・サイド・オーディオ・チャネル）を含むことができる。
【０００７】
サラウンド・サウンドに関する多数の他の可能な構成がある。他の既知のサラウンド・サウンド構成のいくつかの例は、３．０サラウンド・サウンド、４．０サラウンド・サウンド、６．１サラウンド・サウンド、１０．２サラウンド・サウンド、２２．２サラウンド・サウンドなどを含む。
【発明の概要】
【０００８】
上で示したように、本開示は、全般的にはサラウンド・サウンド・テクノロジに関する。より具体的には、本開示は、サラウンド・サウンドを実施できる形における改善に関する。
【図面の簡単な説明】
【０００９】
【図１】本開示による、リスナがサラウンド・サウンドをどのように経験できるのかを示す例を示す図。
【図１Ａ】マルチチャネル処理ユニットの１つの可能な実施態様のある種の態様を示す図。
【図１Ｂ】マルチチャネル処理ユニットのもう１つの可能な実施態様のある種の態様を示す図。
【図２】スピーカ及びヘッドホンを使用してサラウンド・サウンドを提供するシステムを示す図。
【図３】スピーカ及びヘッドホンを使用してサラウンド・サウンドを提供するもう１つのシステムを示す図。
【図３Ａ】図３のシステム内のある種のコンポーネントの１つの可能な実施態様を示す図。
【図３Ｂ】図３のシステム内のある種のコンポーネントのもう１つの可能な実施態様を示す図。
【図３Ｃ】図３のシステム内のある種のコンポーネントのもう１つの可能な実施態様を示す図。
【図４】スピーカ及びヘッドホンを使用してサラウンド・サウンドを提供するもう１つのシステムを示す図。
【図５】スピーカ及びヘッドホンを使用してサラウンド・サウンドを提供する方法を示す図。
【図６】図５に示された方法に対応する機能を手段にプラスした（means-plus-function）ブロックを示す図。
【図７】スピーカ及びヘッドホンを使用してサラウンド・サウンドを提供するもう１つの方法を示す図。
【図８】図７に示された方法に対応する機能を手段にプラスした（means-plus-function）ブロックを示す図。
【図９】スピーカ及びヘッドホンを使用してサラウンド・サウンドを提供するもう１つの方法を示す図。
【図１０】図９に示された方法に対応する機能を手段にプラスした（means-plus-function）ブロックを示す図。
【図１１】移動体デバイスを含むサラウンド・サウンド・システムを示す図。
【図１２】本明細書で説明される方法を実施するのに使用できる移動体デバイス内で利用できるさまざまなコンポーネントを示す図。
【発明を実施するための形態】
【００１０】
移動体デバイスが開示される。スピーカ及びヘッドホンを使用してサラウンド・サウンドを提供する方法も開示される。この方法は、サラウンド・サウンド・システムでの使用のための処理されたオーディオ信号の第１組及び第２組を製作することを含むことができる。この方法は、少なくとも２つのスピーカにサラウンド・サウンド・システムでの使用のための処理されたオーディオ信号の第１組を再生させることをも含むことができる。この方法は、ヘッドホンにサラウンド・サウンド・システムでの使用のための処理されたオーディオ信号の第２組を再生させることをも含むことができる。
【００１１】
別の移動体デバイスも開示される。この移動体デバイスは、サラウンド・サウンド・システムでの使用のための処理されたオーディオ信号の第１組及び第２組を生成するための手段を含む。この移動体デバイスは、サラウンド・サウンド・システムでの使用のための処理されたオーディオ信号の第１組を少なくとも２つのスピーカに供給するための手段をも含む。この移動体デバイスは、サラウンド・サウンド・システムでの使用のための処理されたオーディオ信号の第２組をヘッドホン・スピーカに供給するための手段をも含む。
【００１２】
スピーカ及びヘッドホンを使用してサラウンド・サウンドを提供するための命令を備えるコンピュータ可読媒体も開示される。プロセッサによって実行される時に、この命令は、プロセッサに、サラウンド・サウンド・システムでの使用のための処理されたオーディオ信号の第１組及び第２組を生成させる。また、この命令は、プロセッサに、サラウンド・サウンド・システムでの使用のための処理されたオーディオ信号の第１組を少なくとも２つのスピーカに供給させる。また、この命令は、プロセッサに、サラウンド・サウンド・システムでの使用のための処理されたオーディオ信号の第２組をヘッドホン・スピーカに供給させる。
【００１３】
スピーカ及びヘッドホンを使用してサラウンド・サウンドを提供するための集積回路も開示される。この集積回路は、サラウンド・サウンド・システムでの使用のための処理されたオーディオ信号の第１組及び第２組を生成するように構成され得る。この集積回路は、サラウンド・サウンド・システムでの使用のための処理されたオーディオ信号の第１組を少なくとも２つのスピーカに供給するようにも構成され得る。この集積回路は、サラウンド・サウンド・システムでの使用のための処理されたオーディオ信号の第２組をヘッドホン・スピーカに供給するようにも構成され得る。
【００１４】
上で示したように、本開示は、サラウンド・サウンドを実施できる形における改善に関する。本開示によれば、ステレオ・スピーカとヘッドホンとの両方を、リスナにサラウンド・サウンドを提供するために同時に使用することができる。
【００１５】
たとえば、５．１サラウンド・サウンド構成を実施するために、前オーディオ・チャネル（たとえば、左チャネル、右チャネル及び中央チャネル）を、左右のスピーカを介して出力されるスピーカ・チャネル内で製作することができる。サラウンド・オーディオ・チャネル（たとえば、左サラウンド・チャネル及び右サラウンド・チャネル）及び低周波数効果チャネルを、ヘッドホンを介して出力されるヘッドホン・チャネル内で製作することができる。
【００１６】
もう１つの例として、７．１サラウンド・サウンド構成を実施するために、前オーディオ・チャネル（たとえば、左チャネル、右チャネル及び中央チャネル）を、スピーカ・チャネル内で製作することができる。サラウンド・オーディオ・チャネル（たとえば、左サラウンド・チャネル及び右サラウンド・チャネル）及び低周波数効果チャネルを、ヘッドホン・チャネル内で製作することができる。サラウンド・サイド・オーディオ・チャネル（たとえば、左サラウンド・サイド・チャネル及び右サラウンド・サイド・チャネル）を、部分的にスピーカ・チャネル内で製作し、部分的にヘッドホン・チャネル内で製作することができる。
【００１７】
説明したばかりの例を、本開示の範囲を限定するものとして解釈してはならない。５．１サラウンド・サウンド構成及び７．１サラウンド・サウンド構成を、本明細書で説明される技法を使用して、さまざまな異なる形で達成することができる。さらに、本開示は、５．１サラウンド・サウンド構成及び７．１サラウンド・サウンド構成の議論を含むが、これは、例示のためのみのものである。本明細書で説明される技法を、３．０サラウンド・サウンド、４．０サラウンド・サウンド、６．１サラウンド・サウンド、１０．２サラウンド・サウンド、２２．２サラウンド・サウンドなどを含む任意のサラウンド・サウンド構成に適用することができる。本開示は、どの特定のサラウンド・サウンド構成にも限定されず、サラウンド・サウンド構成のどの組にも限定されない。
【００１８】
本開示は、移動体デバイスに適用可能とすることができる。言い換えると、本明細書で説明される技法を、移動体デバイス内で実施することができる。スピーカ及びヘッドホンの組合せを使用してサラウンド・サウンドを実施することによって、本開示は、移動体デバイスのユーザがサラウンド・サウンドを経験するための便利で効果的な形を提供することができる。
【００１９】
本明細書で使用されるときに、用語「移動体デバイス」は、ユーザによってある場所から別の場所へ便利に持ち運ばれ得るすべてのタイプのコンピューティングデバイスを含むように広義に解釈されなければならない。移動体デバイスのいくつかの例は、ラップトップ・コンピュータ、ノートブック・コンピュータ、セル電話、無線通信デバイス、携帯情報端末（ＰＤＡ）、スマートホン、ポータブル・メディア・プレイヤ、ハンドヘルド・ゲーム機、スマートホン、ｉＰｏｄ、ＭＰ３プレイヤ、メディア・プレイヤ及びさまざまな他の消費者デバイス、電子ブックリーダーなどを含む。
【００２０】
移動体デバイスは、サラウンド・サウンド・システムでの使用のための処理されたオーディオ信号の第１組及び第２組を生成するように構成された少なくとも１つのプロセッサを含むことができる。この移動体デバイスは、サラウンド・サウンド・システムでの使用のための処理されたオーディオ信号の第１組を少なくとも２つのスピーカに供給するように適合された少なくとも１つの出力ポートをも含むことができる。この移動体デバイスは、サラウンド・サウンド・システムでの使用のための処理されたオーディオ信号の第２組をヘッドホン・スピーカに供給するように適合された出力ポートをも含むことができる。
【００２１】
図１に、本開示による、リスナ１０２がサラウンド・サウンドを経験できる１つの形を示す。リスナ１０２は、ヘッドホン１０４を身に着けて図示されている。さらに、左右のステレオ・スピーカ１０６ａ〜ｂが、リスナ１０２の前に位置決めされている。
【００２２】
上で示したように、５．１サラウンド・サウンドでは、５つのオーディオ・チャネル及び１つの低周波数効果チャネルがある。５つのオーディオ・チャネルは、左チャネル、右チャネル、中央チャネル、左サラウンド・チャネル及び右サラウンド・チャネルである。
【００２３】
リスナ１０２が５．１サラウンド・サウンドを経験するために、左チャネルを、左スピーカ１０６ａにルーティングすることができる。右チャネルを、右スピーカ１０６ｂにルーティングすることができる。中央チャネルを、左右のスピーカ１０６ａ〜ｂを介して仮想化することができる。左右のサラウンド・チャネルを、ヘッドホン１０４を介して仮想化することができる。仮想中央スピーカ１０８、仮想左サラウンドスピーカ１１０ａ、及び仮想右サラウンドスピーカ１１０ｂは、それぞれ中央チャネル、左サラウンド・チャネル及び右サラウンド・チャネルの仮想化を表すために図１に図示されている。
【００２４】
図１には、マルチチャネル処理ユニット１１２も図示されている。マルチチャネル処理ユニット１１２を、それぞれスピーカ１０６ａ〜ｂ及びヘッドホン１０４を駆動するように構成することができる。マルチチャネル処理ユニット１１２は、下で詳細に説明されるさまざまなオーディオ処理モジュール１１７を含むことができる。マルチチャネル処理ユニット１１２は、図示のようにスピーカ１０６ａ〜ｂ用のディジタル・アナログ変換器（ＤＡＣ）１１３ａ及びヘッドホン１０４用のＤＡＣ  １１３ｂをも含むことができる。
【００２５】
マルチチャネル処理ユニット１１２を、移動体デバイス内で実施することができる。ある状況の下では、マルチチャネル処理ユニット１１２を、ヘッドセット（ヘッドホン１０４を含むことができる）と通信する送受器（移動体デバイスとすることができる）内で実施することができる。その代わりに、マルチチャネル処理ユニット１１２の少なくともいくつかの態様を、ヘッドセット内で実施することができる。
【００２６】
いくつかの実施態様では、ヘッドホン１０４を、従来の音響ヘッドホン（たとえば、インイヤー、アラウンドイヤー、オンイヤーなど）ではなく、当技術分野で周知の骨伝導ヘッドホンとすることができる。骨伝導ヘッドオンに関して、サウンド振動は、皮膚、軟骨、及びその後に頭蓋骨を介して内耳に伝送される。周波数レスポンスの異なる特色にもかかわらず、骨伝導ヘッドホンは、それでも、前述のヘッドホン・テクノロジを介して良い後サウンドイメージを生成するという作業を達成する。骨伝導スピーカの一例は、スキューバダイバによって使用される約４０ｍｍ直径、６ｍｍ厚のゴム被覆成形圧電撓曲円盤である。接続ケーブルは、円盤内に成形され、頑丈な耐水アセンブリがもたらされる。使用中に、スピーカは、耳の後ろのドーム形の骨突起の１つにひもで結び付けられる。期待されるように、製作されるサウンドは、ユーザの頭の内部から来るように思われるが、驚くほど明瞭で歯切れが良いものにすることができる。骨伝導ヘッドホンを用いると、ユーザの耳は、もはや、従来の音響ヘッドホンによって占有されない。これは、空気を介する前スピーカ・チャネルのよりよい知覚をもたらす。したがって、ヘッドホン・スピーカを、骨伝導ヘッドホン・スピーカ、インイヤーヘッドホン・スピーカ、アラウンドイヤーヘッドホン・スピーカ、オンイヤーヘッドホン・スピーカ、またはユーザがサウンドを聞くことを可能にする任意の他のタイプのヘッドホン・スピーカとすることができる。
【００２７】
いくつかの実施態様では、ヘッドホン１０４は、ＤＡＣを含むことができる。これは、たとえば、ヘッドホンがBluetooth（登録商標）通信インターフェースを含み、Ｂｌｕｅｔｏｏｔｈ（登録商標）プロトコルに従って動作するように構成される場合に、そうである場合がある。そのような実施態様では、ディジタル・オーディオ・データを、無線チャネルを介して（たとえば、Ａ２ＤＰ（Advanced Audio Distribution Profile）プロトコルを使用して）ヘッドホン１０４に送信することができ、ディジタル・オーディオ・データをアナログ・データに変換するためのＤＡＣは、ヘッドホン１０４内に存在することができる。したがって、このタイプの実施態様では、ヘッドホン１０４内のＤＡＣを活用できるので、マルチチャネル処理ユニット１１２が、ヘッドホン１０４用のＤＡＣ  １１３ｂを含まない場合がある。このタイプの実施態様は、図１Ｂに示され、下で述べられる。
【００２８】
図１Ａに、スピーカ・チャネル１３０及びヘッドホン・チャネル１３４を製作するマルチチャネル処理ユニット１１２のオーディオ処理モジュール１１７を示す。マルチチャネル処理ユニット１１２は、スピーカ・チャネル１３０とヘッドホン・チャネル１３４との両方のためのディジタル−アナログ変換を実行するＤＡＣ  １１３ａ〜ｂを含むことができる。スピーカ・チャネル１３０のためにディジタル−アナログ変換を実行するＤＡＣ  １１３ａは、スピーカ１０６ａ〜ｂ用の増幅器１３２と電子通信して図示されている。ヘッドホン・チャネル１３４のためにディジタル−アナログ変換を実行するＤＡＣ  １１３ｂは、ヘッドホン１０４用の増幅器１３６と電子通信して図示されている。
【００２９】
代替実施態様を、図１Ｂに示すが、図１Ｂでは、マルチチャネル処理ユニット１１２’が示されている。マルチチャネル処理ユニット１１２’のオーディオ処理モジュール１１７は、スピーカ・チャネル１３０及びヘッドホン・チャネル１３４を製作することができる。マルチチャネル処理ユニット１１２’は、スピーカ・チャネル１３０用のアナログ−ディジタル変換を実行するためのＤＡＣ  １１３ａを含むことができる。このＤＡＣ  １１３ａは、スピーカ１０６ａ〜ｂ用の増幅器１３２と電子通信して図示されている。ヘッドホン・チャネル１３４（ディジタルデータとして）を、無線チャネルを介してヘッドセット１１５に送信することができ、ディジタル・オーディオ・データをアナログ・データに変換するためのＤＡＣ  １１３ｂは、ヘッドセット１１５内に存在することができる。このＤＡＣ  １１３ｂは、ヘッドホン１０４用の増幅器１３６と電子通信して図示されている。
【００３０】
マルチチャネル処理ユニット１１２’とヘッドセット１１５との間の通信を、図１Ｂに示されているように無線リンクを介して行うことができる。ヘッドセット１１５は、無線リンクを介してマルチチャネル処理ユニット１１２’から無線通信を受信するための無線通信インターフェース１１９をも有して図示されている。マルチチャネル処理ユニット１１２’とヘッドセット１１５との間の無線通信を容易にすることができる、さまざまな異なる無線通信プロトコルがある。たとえば、マルチチャネル処理ユニット１１２’とヘッドセット１１５との間の通信を、Ｂｌｕｅｔｏｏｔｈ（登録商標）プロトコル、米国電気電子技術者協会無線通信プロトコル（たとえば、８０２．１１ｘ、８０２．１５ｘ、８０２．１６ｘなど）、または類似物に従って行うことができる。
【００３１】
図２に、スピーカ２０６及びヘッドホン２０４を使用してサラウンド・サウンドを提供するシステム２００を示す。復号器２１４は、入力として、符号化されたマルチチャネル・コンテンツ２１６を受け取ることができる。符号化されたマルチチャネル・コンテンツ２１６は、ＡＣ３、ＤＴＳ（Digital Theater System）、ＷＭＡ（Windows(登録商標)Media Audio）、ＭＰＥＧサラウンド（Moving Picture Experts Group Surround)など、サラウンド・サウンドを提供する任意のフォーマットに従って符号化されたものとすることができる。復号器２１４は、ｋ個の前オーディオ・チャネル２１８ａ…２１８ｋ、ｍ個のサラウンド・オーディオ・チャネル２２０ａ…２２０ｍ、ｎ個のサラウンド・サイド・オーディオ・チャネル２２２ａ…２２２ｎ、及び低周波数効果チャネル２３８を出力することができる。
【００３２】
前オーディオ・チャネル２１８、サラウンド・オーディオ・チャネル２２０、サラウンド・サイド・オーディオ・チャネル２２２、及び低周波数効果チャネル２３８を、入力として処理モジュール２２４に供給することができる。処理モジュール２２４は、前チャネル処理モジュール２２６及びサラウンド・チャネル処理モジュール２２８を含むことができる。
【００３３】
前オーディオ・チャネル２１８を、入力として前チャネル処理モジュール２２６に供給することができる。前チャネル処理モジュール２２６は、前オーディオ・チャネル２１８が左右のスピーカ・チャネル２３０ａ〜ｂに製作されるようにするために、前オーディオ・チャネル２１８内のオーディオ信号を処理することができる。
【００３４】
サラウンド・オーディオ・チャネル２２０及び低周波数効果チャネル２３８を、入力としてサラウンド・チャネル処理モジュール２２８に供給することができる。サラウンド・チャネル処理モジュール２２８は、サラウンド・オーディオ・チャネル２２０及び低周波数効果チャネル２３８が左右のヘッドホン・チャネル２３４ａ〜ｂに製作されるようにするために、サラウンド・オーディオ・チャネル２２０及び低周波数効果チャネル２３８内のオーディオ信号を処理することができる。
【００３５】
サラウンド・サイド・オーディオ・チャネル２２２を、入力として前チャネル処理モジュール２２６とサラウンド・チャネル処理モジュール２２８との両方に供給することができる。前チャネル処理モジュール２２６は、サラウンド・サイド・オーディオ・チャネル２２２が部分的にスピーカ・チャネル２３０ａ〜ｂに製作されるようにするために、サラウンド・サイド・オーディオ・チャネル２２２内のオーディオ信号を処理することができる。サラウンド・チャネル処理モジュール２２８は、サラウンド・サイド・オーディオ・チャネル２２２が部分的にヘッドホン・チャネル２３４ａ〜ｂに製作されるようにするために、サラウンド・サイド・オーディオ・チャネル２２２内のオーディオ信号を処理することができる。
【００３６】
スピーカ・チャネル２３０ａ〜ｂ及びヘッドホン・チャネル２３４ａ〜ｂを、入力としてユーザ経験モジュール２５８に供給することができる。ユーザ経験モジュール２５８は、左右のステレオ・スピーカ２０６ａ〜ｂを駆動するためのスピーカ増幅器２３２を含むことができる。スピーカ・チャネル２３０ａ〜ｂを、入力としてスピーカ増幅器２３２に供給することができる。ユーザ経験モジュール２５８は、ヘッドホン２０４を駆動するためのヘッドホン増幅器２３６をも含むことができる。ヘッドホン・チャネル２３４ａ〜ｂを、入力としてヘッドホン増幅器２３６に供給することができる。
【００３７】
復号器２１４及び処理モジュール２２４は、図１に関して上で述べた、マルチチャネル処理ユニット１１２内で実施できるオーディオ処理モジュール１１７の例である。上で述べたように、マルチチャネル処理ユニット１１２は、それぞれスピーカ２０６ａ〜ｂ及びヘッドホン２０４用のディジタル−アナログ変換器（ＤＡＣ）１１３ａ〜ｂを含むことができる。その代わりに、ヘッドホン２０４が、ＤＡＣを含むことができ、マルチチャネル処理ユニット１１２が、ヘッドホン１０４用のＤＡＣ  １１３ｂを含まないものとすることができる。
【００３８】
図３に、スピーカ３０６及びヘッドホン３０４を使用してサラウンド・サウンドを提供するもう１つのシステム３００を示す。図示のシステム３００を、５．１サラウンド・サウンド構成を実施するのに使用することができる。
【００３９】
上で示したように、５．１サラウンド・サウンドに関して、３つの前オーディオ・チャネル３１８、２つのサラウンド・オーディオ・チャネル３２０、及び１つの低周波数効果チャネル３３８があるものとすることができる。３つの前オーディオ・チャネル３１８を、左オーディオ・チャネル３１８ａ、右オーディオ・チャネル３１８ｂ、及び中央オーディオ・チャネル３１８ｃとすることができる。２つのサラウンド・オーディオ・チャネル３２０を、左サラウンド・オーディオ・チャネル３２０ａ及び右サラウンド・オーディオ・チャネル３２０ｂとすることができる。図３の最上部は、前オーディオ・チャネル３１８、サラウンド・オーディオ・チャネル３２０、及び低周波数効果チャネル３３８がリスナ３０２によってどのように知覚され得るかを示す。
【００４０】
復号器３１４は、入力として符号化されたマルチチャネル・コンテンツ３１６を受け取ることができる。復号器３１４は、前オーディオ・チャネル３１８すなわち、左オーディオ・チャネル３１８ａ（Ｌ）、右オーディオ・チャネル３１８ｂ（Ｒ）、及び中央オーディオ・チャネル３１８ｃ（Ｃ）を出力することができる。復号器３１４は、サラウンド・オーディオ・チャネル３２０すなわち、左サラウンド・オーディオ・チャネル３２０ａ（ＬＳ）及び右サラウンド・オーディオ・チャネル３２０ｂ（ＲＳ）をも出力することができる。復号器３１４は、低周波数効果チャネル３３８（ＬＦＥ）をも出力することができる。
【００４１】
前オーディオ・チャネル３１８、サラウンド・オーディオ・チャネル３２０、及び低周波数効果チャネル３３８を、入力として処理モジュール３２４に供給することができる。処理モジュール３２４は、前チャネル処理モジュール３２６及びサラウンド・チャネル処理モジュール３２８を含むことができる。
【００４２】
前オーディオ・チャネル３１８を、入力として前チャネル処理モジュール３２６に供給することができる。前チャネル処理モジュール３２６は、前オーディオ・チャネル３１８が左右のステレオ・スピーカ・チャネル３３０ａ〜ｂに製作されるようにするために、前オーディオ・チャネル３１８内のオーディオ信号を処理することができる。
【００４３】
前チャネル処理モジュール３２６は、漏話除去（ｃｒｏｓｓｔａｌｋ  ｃａｎｃｅｌｌａｔｉｏｎ）コンポーネント３４０を含むことができる。漏話除去コンポーネント３４０は、漏話除去のために、左オーディオ・チャネル３１８ａ及び右オーディオ・チャネル３１８ｂ内のオーディオ信号を処理することができる。本開示の文脈では、用語「漏話」は、リスナの左耳によって聞かれることを意図された左オーディオ・チャネル３１８ａが、リスナの右耳への音響経路を有すること（またはその逆すなわち、リスナの右耳によって聞かれることを意図された右オーディオ・チャネル３１８ｂが、リスナの左耳への音響経路を有すること）を指すことができる。漏話除去は、漏話の影響を制限する技法を指す。
【００４４】
前チャネル処理モジュール３２６は、減衰器３４２をも含むことができる。減衰器３４２は、ある所定の倍率（たとえば、１／２１／２［即ち、１／ルート２］））だけ、中央オーディオ・チャネル３１８ｃを減衰させることができる。
【００４５】
前チャネル処理モジュール３２６は、左オーディオ・チャネル３１８ａに対応する、減衰器３４２の出力及び漏話除去コンポーネント３４０の出力を加算する加算器３４４をも含むことができる。前チャネル処理モジュール３２６は、右オーディオ・チャネル３１８ｂに対応する、減衰器３４２の出力及び漏話除去コンポーネント３４０の出力を加算する加算器３４６をも含むことができる。左右のステレオ・スピーカ・チャネル３３０ａ〜ｂを、加算器３４４及び３４６から出力することができる。遅延コンポーネント３５７は、スピーカ・チャネル処理モジュール３２８と左右のヘッドホン・チャネル３３４ａ〜ｂとの間の伝送遅延を補償するためにスピーカ・チャネル経路に遅延を導入することができる。
【００４６】
サラウンド・オーディオ・チャネル３２０及び低周波数効果チャネル３３８を、入力としてサラウンド・チャネル処理モジュール３２８に供給することができる。サラウンド・チャネル処理モジュール３２８は、サラウンド・オーディオ・チャネル３２０及び低周波数効果チャネル３３８が左右のヘッドホン・チャネル３３４ａ〜ｂに製作されるようにするために、サラウンド・オーディオ・チャネル３２０及び低周波数効果チャネル３３８内のオーディオ信号を処理することができる。
【００４７】
サラウンド・チャネル処理モジュール３２８は、第１及び第２のバイノーラル処理コンポーネント３４８ａ〜ｂを含むことができる。第１バイノーラル処理コンポーネント３４８ａは、左サラウンド・オーディオ・チャネル３２０ａ内のオーディオ信号に対してバイノーラル処理を実行することができる。第２バイノーラル処理コンポーネント３４８ｂは、右サラウンド・オーディオ・チャネル３２０ｂ内のオーディオ信号に対してバイノーラル処理を実行することができる。たとえば、頭部伝達関数（ＨＲＴＦ）を使用する技法を利用することができる。
【００４８】
サラウンド・チャネル処理モジュール３２８は、低周波数効果チャネル３３８に関してフィルタリング、利得調整及びおそらくは他の調整を実行するコンポーネント３５０をも含むことができる。このコンポーネント３５０を、低周波数効果処理コンポーネント３５０と呼ぶこともできる。サラウンド・チャネル処理モジュール３２８は、バイノーラル処理コンポーネント３４８の出力及び低周波数効果処理コンポーネント３５０の出力を加算することができる加算器３５２及び３５４をも含むことができる。
【００４９】
サラウンド・チャネル処理モジュール３２８は、遅延コンポーネント３５６をも含むことができる。遅延コンポーネント３５６は、ステレオ・スピーカ３０６ａ〜ｂからリスナ３０２の耳までの音響遅延を補償するためにヘッドホン・チャネル経路に遅延を導入することができ、かつ／または遅延コンポーネント３５６は、前チャネル処理モジュールからスピーカ増幅器３３２までの伝送遅延（たとえば、bluetooth、無線オーディオなど）を補償することができる。ヘッドホン・チャネル３３４ａ〜ｂを、遅延コンポーネント３５６から出力することができる。遅延コンポーネント３５６を、構成可能とすることもできる。スピーカ・チャネル経路内の総遅延が、ヘッドホン・チャネル経路内の総遅延より長い場合には、遅延コンポーネント３５７を使用可能にする必要がない場合がある。同様に、ヘッドホン・チャネル経路内の総遅延が、スピーカ・チャネル経路内の総遅延より長い場合には、遅延コンポーネント３５６を使用可能にする必要がない場合がある。
【００５０】
スピーカ・チャネル３３０ａ〜ｂ及びヘッドホン・チャネル３３４ａ〜ｂを、入力としてユーザ経験モジュール３５８に供給することができる。ユーザ経験モジュール３５８は、左右のステレオ・スピーカ３０６ａ〜ｂを駆動するためのスピーカ増幅器３３２を含むことができる。スピーカ・チャネル３３０ａ〜ｂを、入力としてスピーカ増幅器３３２に供給することができる。ユーザ経験モジュール３５８は、ヘッドホン３０４を駆動するためのヘッドホン増幅器３３６をも含むことができる。ヘッドホン・チャネル３３４ａ〜ｂを、入力としてヘッドホン増幅器３３６に供給することができる。
【００５１】
復号器３１４及び処理モジュール３２４は、上で図１に関して述べたように、マルチチャネル処理ユニット１１２内で実施できるオーディオ処理モジュール１１７の例である。上で述べたように、マルチチャネル処理ユニット１１２は、それぞれスピーカ３０６ａ〜ｂ用及びヘッドホン３０４用のディジタル−アナログ変換器（ＤＡＣ）１１３ａ〜ｂを含むことができる。その代わりに、ヘッドホン３０４が、ＤＡＣを含むことができ、マルチチャネル処理ユニット１１２が、ヘッドホン１０４用のＤＡＣ  １１３ｂを含まないものとすることができる。
【００５２】
図示を明瞭にするために、遅延コンポーネント３５７は、図３Ａ、３Ｂ、３Ｃ及び４には明示的には図示されていない。しかし、これらは、図３に示されているように配置され得、前に述べたように動作することができる。
【００５３】
図３Ａを参照すると、前チャネル処理モジュール３２６及びサラウンド・チャネル処理モジュール３２８を含む処理モジュール３２４を、プロセッサ３２３内で実施することができる。その代わりに、図３Ｂに示されているように、復号器３１４と処理モジュール３２４との両方を、プロセッサ３２５内で実施することができる。その代わりに、復号器３１４および／または処理モジュール３２４を、複数のプロセッサにまたがって実施することができる。たとえば、図３Ｃを参照すると、復号器３１４を、第１プロセッサ３２７内で実施することができ、処理モジュール３２４を、第２プロセッサ３２９内で実施することができる。
【００５４】
第１プロセッサ３２７及び第２プロセッサ３２９を、同一のデバイス上または異なるデバイス上で実施することができる。たとえば、復号器３１４を、ＤＶＤプレイヤまたは符号化されたマルチチャネル・コンテンツ３１８を復号するある他のデバイスの一部とすることができ、処理モジュール３２４を含むプロセッサ３２９を、移動体デバイス上に配置することができる。
【００５５】
本明細書で使用されるときに、用語「プロセッサ」は、ＡＲＭなどの任意の汎用のシングルチップもしくはマルチチップのマイクロプロセッサ、またはディジタル信号プロセッサ（ＤＳＰ）、マイクロコントローラ、プログラマブル・ゲートアレイ、その他などの任意の特殊目的マイクロプロセッサを指すことができる。いくつかの構成では、プロセッサの組合せ（たとえば、ＡＲＭ及びＤＳＰ）を、処理モジュール３２４内の機能を実行するのに使用することができる。
【００５６】
図４に、スピーカ４０６及びヘッドホン４０４を使用してサラウンド・サウンドを提供するもう１つのシステム４００を示す。図示のシステム４００は、７．１サラウンド・サウンド構成を実施することができる。
【００５７】
上で示したように、７．１サラウンド・サウンドに関して、３つの前オーディオ・チャネル４１８、２つのサラウンド・オーディオ・チャネル４２０、２つのサラウンド・サイド・オーディオ・チャネル４２２及び１つの低周波数効果チャネル４３８があるものとすることができる。３つの前オーディオ・チャネル４１８を、左オーディオ・チャネル４１８ａ、右オーディオ・チャネル４１８ｂ及び中央オーディオ・チャネル４１８ｃとすることができる。２つのサラウンド・オーディオ・チャネル４２０を、左サラウンド・オーディオ・チャネル４２０ａ及び右サラウンド・オーディオ・チャネル４２０ｂとすることができる。２つのサラウンド・サイド・オーディオ・チャネル４２２を、左サラウンド・サイド・オーディオ・チャネル４２２ａ及び右サラウンド・サイド・オーディオ・チャネル４２２ｂとすることができる。図４の最上部は、前オーディオ・チャネル４１８、サラウンド・オーディオ・チャネル４２０、サラウンド・サイド・オーディオ・チャネル４２２及び低周波数効果チャネル４３８がリスナ４０２によってどのように知覚され得るかを示す。
【００５８】
復号器４１４は、入力として符号化されたマルチチャネル・コンテンツ４１６を受け取ることができる。復号器４１４は、前オーディオ・チャネル４１８すなわち、左オーディオ・チャネル４１８ａ（Ｌ）、右オーディオ・チャネル４１８ｂ（Ｒ）及び中央オーディオ・チャネル４１８ｃ（Ｃ）を出力することができる。復号器４１４は、サラウンド・オーディオ・チャネル４２０すなわち、左サラウンド・オーディオ・チャネル４２０ａ（ＬＳ）及び右サラウンド・オーディオ・チャネル４２０ｂ（ＲＳ）をも出力することができる。復号器４１４は、サラウンド・サイド・オーディオ・チャネル４２２すなわち、左サラウンド・サイド・オーディオ・チャネル４２２ａ（ＬＳＳ）及び右サラウンド・サイド・オーディオ・チャネル４２２ｂ（ＲＳＳ）をも出力することができる。復号器４１４は、低周波数効果チャネル４３８（ＬＦＥ）をも出力することができる。
【００５９】
前オーディオ・チャネル４１８、サラウンド・オーディオ・チャネル４２０、サラウンド・サイド・オーディオ・チャネル４２２及び低周波数効果チャネル４３８を、入力として処理モジュール４２４に供給することができる。処理モジュール４２４は、前チャネル処理モジュール４２６及びサラウンド・チャネル処理モジュール４２８を含むことができる。
【００６０】
前オーディオ・チャネル４１８を、入力として前チャネル処理モジュール４２６に供給することができる。前チャネル処理モジュール４２６は、前オーディオ・チャネル４１８が左右のステレオ・スピーカ・チャネル４３０ａ〜ｂに製作されるようにするために、前オーディオ・チャネル４１８内のオーディオ信号を処理することができる。
【００６１】
サラウンド・サイド・オーディオ・チャネル４２２を、入力として前チャネル処理モジュール４２６に供給することができる。前チャネル処理モジュール４２６は、サラウンド・サイド・オーディオ・チャネル４２２が部分的にスピーカ・チャネル４３０ａ〜ｂに製作されるようにするために、サラウンド・サイド・オーディオ・チャネル４２２内のオーディオ信号を処理することができる。
【００６２】
前チャネル処理モジュール４２６は、第１及び第２の漏話除去コンポーネント４４０ａ〜ｂを含むことができる。第１漏話除去コンポーネント４４０ａは、漏話除去のために左オーディオ・チャネル４１８ａ及び右オーディオ・チャネル４１８ｂ内のオーディオ信号を処理することができる。第２漏話除去コンポーネント４４０ｂは、漏話除去のために左サラウンド・サイド・オーディオ・チャネル４２２ａ及び右サラウンド・サイド・オーディオ・チャネル４２２ｂ内のオーディオ信号を処理することができる。
【００６３】
前チャネル処理モジュール４２６は、減衰器４４２をも含むことができる。減衰器４４２は、ある所定の倍率（たとえば、１／２１／２［即ち、１／ルート２］）だけ、中央オーディオ・チャネル４１８ｃを減衰させることができる。
【００６４】
前チャネル処理モジュール４２６は、減衰器４４２の出力、第１漏話除去コンポーネント４４０ａの左チャネル出力及び第２漏話除去コンポーネント４４０ｂの左チャネル出力を加算する加算器４４４をも含むことができる。前チャネル処理モジュール４２６は、減衰器４４２の出力、第１漏話除去コンポーネント４４０ａの右チャネル出力及び第２漏話除去コンポーネント４４０ｂの右チャネル出力を加算する加算器４４６をも含むことができる。左右のスピーカ・チャネル４３０ａ〜ｂを、加算器４４４及び４４６から出力することができる。
【００６５】
サラウンド・オーディオ・チャネル４２０及び低周波数効果チャネル４３８を、入力としてサラウンド・チャネル処理モジュール４２８に供給することができる。サラウンド・チャネル処理モジュール４２８は、サラウンド・オーディオ・チャネル４２０及び低周波数効果チャネル４３８が左右のヘッドホン・チャネル４３４ａ〜ｂに製作されるようにするために、サラウンド・オーディオ・チャネル４２０及び低周波数効果チャネル４３８内のオーディオ信号を処理することができる。
【００６６】
サラウンド・サイド・オーディオ・チャネル４２２を、入力としてサラウンド・チャネル処理モジュール４２８に供給することもできる。サラウンド・チャネル処理モジュール４２８は、サラウンド・サイド・オーディオ・チャネル４２２が部分的にヘッドホン・チャネル４３４ａ〜ｂに製作されるようにするために、サラウンド・サイド・オーディオ・チャネル４２２内のオーディオ信号を処理することができる。
【００６７】
サラウンド・チャネル処理モジュール４２８は、複数のバイノーラル処理コンポーネント４４８を含むことができる。第１のバイノーラル処理コンポーネント４４８ａは、左サラウンド・オーディオ・チャネル４２０ａ内のオーディオ信号に対してバイノーラル処理を実行することができる。第２のバイノーラル処理コンポーネント４４８ｂは、右サラウンド・オーディオ・チャネル４２０ｂ内のオーディオ信号に対してバイノーラル処理を実行することができる。第３のバイノーラル処理コンポーネント４４８ｃは、左サラウンド・サイド・オーディオ・チャネル４２２ａ内のオーディオ信号に対してバイノーラル処理を実行することができる。第４のバイノーラル処理コンポーネント４４８ｄは、右サラウンド・サイド・オーディオ・チャネル４２２ｂ内のオーディオ信号に対してバイノーラル処理を実行することができる。
【００６８】
サラウンド・チャネル処理モジュール４２８は、低周波数効果チャネル４３８に関してフィルタリング、利得調整及びおそらくは他の調整を実行するコンポーネント４５０をも含むことができる。このコンポーネント４５０を、低周波数効果処理コンポーネント４５０と呼ぶこともできる。サラウンド・チャネル処理モジュール４２８は、バイノーラル処理コンポーネント４４８の出力及び低周波数効果処理コンポーネント４５０の出力を加算することができる加算器４５２、４５４、４６０、４６２、４６４、４６６、４６８、及び４７０をも含むことができる。
【００６９】
サラウンド・チャネル処理モジュール４２８は、遅延コンポーネント４５６をも含むことができる。遅延コンポーネント４５６は、ステレオ・スピーカ４０６ａ〜ｂからリスナ４０２の耳までの音響遅延を補償するためにヘッドホン・チャネル経路に遅延を導入することができる。ヘッドホン・チャネル４３４ａ〜ｂを、遅延コンポーネント４５６から出力することができる。
【００７０】
スピーカ・チャネル４３０ａ〜ｂ及びヘッドホン・チャネル４３４ａ〜ｂを、入力としてユーザ経験モジュール４５８に供給することができる。ユーザ経験モジュール４５８は、左右のステレオ・スピーカ４０６ａ〜ｂを駆動するためのスピーカ増幅器４３２を含むことができる。スピーカ・チャネル４３０ａ〜ｂを、入力としてスピーカ増幅器４３２に供給することができる。ユーザ経験モジュール４５８は、ヘッドホン４０４を駆動するためのヘッドホン増幅器４３６をも含むことができる。ヘッドホン・チャネル４３４ａ〜ｂを、入力としてヘッドホン増幅器４３６に供給することができる。
【００７１】
復号器４１４及び処理モジュール４２４は、上で図１に関して述べたように、マルチチャネル処理ユニット１１２内で実施できるオーディオ処理モジュール１１７の例である。上で述べたように、マルチチャネル処理ユニット１１２は、それぞれスピーカ４０６ａ〜ｂ用及びヘッドホン４０４用のディジタル−アナログ変換器（ＤＡＣ）１１３ａ〜ｂを含むことができる。その代わりに、ヘッドホン４０４が、ＤＡＣを含むことができ、マルチチャネル処理ユニット１１２が、ヘッドホン１０４用のＤＡＣ  １１３ｂを含まないものとすることができる。
【００７２】
図５に、スピーカ２０６及びヘッドホン２０４を使用してサラウンド・サウンドを提供する方法５００を示す。方法５００によれば、ｋ個の前オーディオ・チャネル２１８ａ…２１８ｋ、ｍ個のサラウンド・オーディオ・チャネル２２０ａ…２２０ｍ、ｎ個のサラウンド・サイド・オーディオ・チャネル２２２ａ…２２２ｎ及び低周波数効果チャネル２３８を、復号器２１４から受け取る５０２ことができる。
【００７３】
前オーディオ・チャネル２１８がスピーカ・チャネル２３０ａ〜ｂおよび／またはヘッドホン・チャネル２３４ａ〜ｂに製作されるようにするために、前オーディオ・チャネル２１８内のオーディオ信号を処理する５０４ことができる。前オーディオ・チャネル２１８を、スピーカ・チャネル２３０ａ〜ｂ内のみで製作することができるが、本開示の範囲は、この形に限定されてはならない。
【００７４】
サラウンド・オーディオ・チャネル２２０及び低周波数効果チャネル２３８がヘッドホン・チャネル２３４ａ〜ｂおよび／またはスピーカ・チャネル２３０ａ〜ｂで製作されるようにするために、サラウンド・オーディオ・チャネル２２０及び低周波数効果チャネル２３８内のオーディオ信号を処理する５０６ことができる。サラウンド・オーディオ・チャネル２２０及び低周波数効果チャネル２３８を、ヘッドホン・チャネル２３４ａ〜ｂ内のみで製作することができるが、本開示の範囲は、この形に限定されてはならない。
【００７５】
サラウンド・サイド・オーディオ・チャネル２２２がスピーカ・チャネル２３０ａ〜ｂおよび／またはヘッドホン・チャネル２３４ａ〜ｂで製作されるようにするために、サラウンド・サイド・オーディオ・チャネル２２２内のオーディオ信号を処理する５０８ことができる。サラウンド・サイド・オーディオ・チャネル２２２を、部分的にスピーカ・チャネル２３０ａ〜ｂ内で、部分的にヘッドホン・チャネル２３４ａ〜ｂで製作することができるが、本開示の範囲は、この形に限定されてはならない。
【００７６】
左右のステレオ・スピーカ２０６ａ〜ｂを介する出力のために、スピーカ・チャネル２３０ａ〜ｂを供給する５１０ことができる。ヘッドホン２０４を介する出力のために、ヘッドホン・チャネル２３４ａ〜ｂを供給する５１２ことができる。
【００７７】
上で説明した図５の方法５００を、図６に示された機能を手段にプラスした（means-plus-function）ブロック６００に対応するさまざまなハードウェアおよび／またはソフトウェアコンポーネント（１つまたは複数）および／またはモジュール（１つまたは複数）によって実行することができる。言い換えると、図５に示されたブロック５０２から５１２は、図６に示された機能を手段にプラスした（means-plus-function）ブロック６０２から６１２に対応する。
【００７８】
図７に、スピーカ３０６及びヘッドホン３０４を使用してサラウンド・サウンドを提供するもう１つの方法７００を示す。図示の方法７００は、５．１サラウンド・サウンド構成を実施するのに使用することができる。方法７００によれば、前オーディオ・チャネル３１８、サラウンド・オーディオ・チャネル３２０及び低周波数効果チャネル３３８を復号器３１４から受け取る７０２ことができる。
【００７９】
漏話除去のために、左オーディオ・チャネル３１８ａ及び右オーディオ・チャネル３１８ｂ内のオーディオ信号を処理する７０４ことができる。左スピーカ・チャネル３３０ａを入手するために、処理された左オーディオ・チャネル３１８ａに減衰された中央オーディオ・チャネル３１８ｃを加算する７０６ことができる。右スピーカ・チャネル３３０ｂを入手するために、処理された右オーディオ・チャネル３１８ｂに減衰された中央オーディオ・チャネル３１８ｃを加算する７０８ことができる。スピーカ・チャネル処理モジュールと左右のヘッドホン・チャネル３３４ａ〜ｂとの間の伝送遅延を補償するために、スピーカホンチャネル経路に遅延を導入する７０９ことができる。左右のステレオ・スピーカ３０６ａ〜ｂを介する出力のために、スピーカ・チャネル３３０ａ〜ｂを供給する７１０ことができる。
【００８０】
バイノーラル処理技法を使用して、左サラウンド・チャネル３２０ａ及び右サラウンド・チャネル３２０ｂ内のオーディオ信号を処理する７１２ことができる。低周波数効果チャネル３３８に関して、フィルタリング、利得調整及びおそらくは他の調整を実行する７１４ことができる。
【００８１】
左ヘッドホン・チャネル３３４ａを入手するために、処理された左サラウンド・チャネル３２０ａを処理された低周波数効果チャネル３３８に加算する７１６ことができる。右ヘッドホン・チャネル３３４ｂを入手するために、処理された右サラウンド・チャネル３２０ｂを処理された低周波数効果チャネル３３８に加算する７１８ことができる。
【００８２】
ステレオ・スピーカ３０６ａ〜ｂからリスナ３０２の耳までの音響遅延および／または前処理モジュールからステレオ・スピーカ３０６ａ〜ｂまでの伝送遅延（たとえば、ｂｌｕｅｔｏｏｔｈ、無線オーディオなど）を補償するために、遅延をヘッドホン・チャネル経路に導入する７２０ことができる。その後、ヘッドホン３０４を介する出力のために、ヘッドホン・チャネル３３４ａ〜ｂを供給する７２２ことができる。
【００８３】
上で説明した図７の方法７００を、図８に示された機能を手段にプラスした（means-plus-function）ブロック８００に対応するさまざまなハードウェアおよび／またはソフトウェアコンポーネント（１つまたは複数）および／またはモジュール（１つまたは複数）によって実行することができる。言い換えると、図７に示されたブロック７０２から７２２は、図８に示された機能を手段にプラスした（means-plus-function）ブロック８０２から８２２に対応する。
【００８４】
図９に、スピーカ４０６及びヘッドホン４０４を使用してサラウンド・サウンドを提供するもう１つの方法９００を示す。図示の方法９００を、７．１サラウンド・サウンド構成を実施するのに使用することができる。方法９００によれば、前オーディオ・チャネル４１８、サラウンド・オーディオ・チャネル４２０、サラウンド・サイド・オーディオ・チャネル４２２及び低周波数効果チャネル４３８を、復号器４１４から受け取る９０２ことができる。
【００８５】
漏話除去のために、左オーディオ・チャネル４１８ａ及び右オーディオ・チャネル４１８ｂ内のオーディオ信号を処理する９０４ことができる。さらに、漏話除去のために、左サラウンド・サイド・オーディオ・チャネル４２２ａ及び右サラウンド・サイド・オーディオ・チャネル４２２ｂ内のオーディオ信号を処理する９０４ことができる。
【００８６】
左スピーカ・チャネル４３０ａを入手するために、減衰された中央オーディオ・チャネル４１８ｃを処理された左オーディオ・チャネル４１８ａ及び処理された左サラウンド・サイド・オーディオ・チャネル４２２ａに加算する９０６ことができる。右スピーカ・チャネル４３０ｂを入手するために、減衰された中央オーディオ・チャネル４１８ｃを処理された右オーディオ・チャネル４１８ｂ及び処理された右サラウンド・サイド・オーディオ・チャネル４２２ｂに加算する９０８ことができる。左右のステレオ・スピーカ４０６ａ〜ｂを介する出力のために、スピーカ・チャネル４３０ａ〜ｂを供給する９１０ことができる。
【００８７】
バイノーラル処理技法を使用して、左サラウンド・オーディオ・チャネル４２０ａ、右サラウンド・オーディオ・チャネル４２０ｂ、左サラウンド・サイド・オーディオ・チャネル４２２ａ及び右サラウンド・サイド・オーディオ・チャネル４２２ｂ内のオーディオ信号を処理する９１２ことができる。低周波数効果チャネル４３８に関して、フィルタリング、利得調整及びおそらくは他の調整を実行する９１４ことができる。
【００８８】
左ヘッドホン・チャネル４３４ａを入手するために、処理された左サラウンド・オーディオ・チャネル４２０ａ、処理された左サラウンド・サイド・オーディオ・チャネル４２２ａ及び処理された低周波数効果チャネル４３８を加算する９１６ことができる。右ヘッドホン・チャネル４３４ｂを入手するために、処理された右サラウンド・チャネル４２０ｂ、処理された右サラウンド・サイド・オーディオ・チャネル４２２ｂ及び処理された低周波数効果チャネル４３８を加算する９１８ことができる。
【００８９】
ステレオ・スピーカ４０６ａ〜ｂからリスナ４０２の耳までの音響遅延を補償するために、遅延をヘッドホン・チャネル経路に導入する９２０ことができる。その後、ヘッドホン４０４を介する出力のために、ヘッドホン・チャネル４３４ａ〜ｂを供給する９２２ことができる。
【００９０】
上で説明した図９の方法９００を、図１０に示された機能を手段にプラスした（means-plus-function）ブロック１０００に対応するさまざまなハードウェアおよび／またはソフトウェアコンポーネント（１つまたは複数）および／またはモジュール（１つまたは複数）によって実行することができる。言い換えると、図９に示されたブロック９０２から９２２は、図１０に示された機能を手段にプラスした（means-plus-function）ブロック１００２から１０２２に対応する。
【００９１】
図１１に、移動体デバイス１１０２を含むサラウンド・サウンド・システム１１００を示す。移動体デバイス１１０２を、スピーカ１１０６とヘッドホン１１０４との両方を使用してサラウンド・サウンドを提供するように構成することができる。
【００９２】
移動体デバイス１１０２は、プロセッサ１１２３を含む。プロセッサ１１２３を、処理されたオーディオ信号の第１組１１１４ａ及び第２組１１１４ｂを生成するさまざまな処理モジュール１１２４を実施するように構成することができる。処理モジュール１１２４を、サラウンド・サウンド・システム１１００が５．１サラウンド・サウンド用に構成される場合に、上で図３に関して述べた処理モジュール３２４と同様に構成することができる。処理モジュール１１２４を、サラウンド・サウンド・システム１１００が７．１サラウンド・サウンド用に構成される場合に、上で図４に関して述べた処理モジュール４２４と同様に構成することができる。
【００９３】
処理されたオーディオ信号の第１組１１１４ａは、５．１サラウンド・サウンド・システムについて図３に示された左右のスピーカ・チャネル３３０ａ〜ｂまたは７．１サラウンド・サウンド・システムについて図４に示された左右のスピーカ・チャネル４３０ａ〜ｂなど、左右のステレオ・スピーカ・チャネルに対応するオーディオ信号を含むことができる。処理されたオーディオ信号の第２組１１１４ｂは、５．１サラウンド・サウンド・システムについて図３に示された左右のヘッドホン・チャネル３３４ａ〜ｂまたは７．１サラウンド・サウンド・システムについて図４に示された左右のヘッドホン・チャネル４３４ａ〜ｂなど、左右のヘッドホン・チャネルに対応するオーディオ信号を含むことができる。
【００９４】
移動体デバイス１１０２は、複数の出力ポート１１１２をも含むことができる。第１出力ポート１１１２ａを、サラウンド・サウンド・システム１１００内で使用される処理されたオーディオ信号の第１組１１１４ａを第１及び第２のスピーカ１１０６ａ及び１１０６ｂに供給するように適合させることができる。第２出力ポート１１１２ｂを、サラウンド・サウンド・システム１１００内で使用される処理されたオーディオ信号の第２組１１１４ｂをヘッドホン・スピーカ１１０４に供給するように適合させることができる。出力ポート１１１２ｂとヘッドホン・スピーカ１１０４との間の通信は、無線通信チャネルを介してまたは有線接続を介して行うことができる。通信が、無線通信チャネルを介して行われる場合に、そのような無線通信を、Ｂｌｕｅｔｏｏｔｈ（登録商標）プロトコル、ＩＥＥＥ無線通信プロトコル（たとえば、８０２．１１ｘ、８０２．１５ｘ、８０２．１６ｘなど）、または類似物に従って行うことができる。
【００９５】
出力ポート１１１２ａ及び１１１２ｂの出力を、ディジタルまたはアナログのいずれかとすることができる。出力ポート１１１２ａ及び１１１２ｂの出力がアナログである場合に、移動体デバイス１１０２は、１つまたは複数のディジタル−アナログ変換器（ＤＡＣ）を含むことができる。
【００９６】
スピーカ増幅器１１３２を、処理されたオーディオ信号の第１組１１１４ａを出力するポート１１１２ａに接続することができる。スピーカ増幅器１１３２は、スピーカ１１０６ａ及び１１０６ｂを駆動することができる。その代わりに、スピーカ増幅器１１３２を省略することができ、あるいは、スピーカ増幅器１１３２を移動体デバイス１１０２内に配置することができる。
【００９７】
図１２に、移動体デバイス１２０２内で利用できるさまざまなコンポーネントを示す。移動体デバイス１２０２は、本明細書で説明されるさまざまな方法を実施するように構成できるデバイスの例である。
【００９８】
移動体デバイス１２０２は、移動体デバイス１２０２の動作を制御するプロセッサ１２０４を含むことができる。プロセッサ１２０４を、中央処理装置（ＣＰＵ）と呼ぶ場合もある。読取り専用メモリ（ＲＯＭ）とランダム・アクセス・メモリ（ＲＡＭ）との両方を含むことができるメモリ１２０６は、プロセッサ１２０４に命令及びデータを供給する。メモリ１２０６の一部は、不揮発性ランダム・アクセス・メモリ（ＮＶＲＡＭ）をも含むことができる。プロセッサ１２０４は、通常、メモリ１２０６内に格納されたプログラム命令に基づいて、論理演算及び算術演算を実行する。メモリ１２０６内の命令を、本明細書に記載の方法を実施するために実行可能とすることができる。
【００９９】
移動体デバイス１２０２は、移動体デバイス１２０２と遠隔位置との間でのデータの伝送及び受信を可能にするために送信機１２１０及び受話器１２１２を含むことができるハウジング１２０８をも含むことができる。送信機１２１０及び受話器１２１２を、トランシーバ１２１４に組み合わせることができる。アンテナ１２１６を、ハウジング１２０８に取り付け、トランシーバ１２１４に電気的に結合することができる。移動体デバイス１２０２は、（図示されていない）複数の送信機、複数の受話器、複数のトランシーバ、および／または複数のアンテナを含むこともできる。
【０１００】
移動体デバイス１２０２は、トランシーバ１２１４によって受信された信号を検出し、そのレベルを定量化するのに使用できる信号検出器１２１８をも含むことができる。信号検出器１２１８は、総エネルギ、擬似雑音（ＰＮ）チップあたりのパイロット・
エネルギ、電力スペクトル密度及び他の信号などの信号を検出することができる。移動体デバイス１２０２は、信号を処理する際に使用されるディジタル信号プロセッサ（ＤＳＰ）１２２０をも含むことができる。
【０１０１】
移動体デバイス１２０２のさまざまなコンポーネントを、データバスに加えて電力バス、制御信号バス及び状況信号バスを含むことができるシステムバス１２２２によって一緒に結合することができる。しかし、明瞭さのために、さまざまなバスは、図１２ではシステムバス１２２２として示されている。
【０１０２】
本明細書で説明される技法は、オーディオ信号の処理を含む。用語「処理」は、非常に広い意味及び解釈を有する技術用語である。最小限でも、「処理」は、プロセッサもしくはプロセッサの組合せ、またはプロセッサもしくはプロセッサの組合せの上で動作するソフトウェアもしくはファーム・ウェアによるオーディオ・サンプルまたはオーディオ・パケットの格納、移動、乗算、加算、減算、または除算を意味することができる。
【０１０３】
本開示によれば、移動体デバイス内の回路を、サラウンド・サウンド・システムでの使用のための処理されたオーディオ信号の第１組及び第２組を生成するように適合させることができる。同一の回路、異なる回路、または同一のもしくは異なる回路の第２セクションを、サラウンド・サウンド・システムでの使用のための処理されたオーディオ信号の第１組を少なくとも２つのスピーカに供給するように適合させることができる。第２セクションを、第１セクションに有利に結合することができ、あるいは、第２セクションを、第１セクションと同一の回路内で実施することができる。さらに、同一の回路、異なる回路、または同一のもしくは異なる回路の第３セクションを、サラウンド・サウンド・システムでの使用のための処理されたオーディオ信号の第２組をヘッドホン・スピーカに供給するように適合させることができる。第３セクションを、第１セクション及び第２セクションに有利に結合することができ、あるいは、第３セクションを、第１セクション及び第２セクションと同一の回路内で実施することができる。
【０１０４】
本明細書で使用されるときに、用語「判定」は、さまざまなアクションを含み、したがって、「判定」は、計算、コンピューティング、処理、導出、調査、ルックアップ（たとえば、テーブル、データベース、または別のデータ構造内のルックアップ）、確認及び類似物を含むことができる。また、「判定」は、受取もしくは受信（たとえば、情報の受信）、アクセス（たとえば、メモリ内のデータのアクセス）及び類似物を含むことができる。また、「判定」は、解決、選択（selecting、choosing）、確立及び類似物を含むことができる。
【０１０５】
句「に基づく」は、そうではないと明示的に指定されない限り、「だけに基づく」を意味しない。言い換えると、句「に基づく」は、「だけに基づく」と「少なくとも〜に基づく」との両方を記述する。
【０１０６】
本開示に関連して説明されたさまざまな例示的な論理ブロック、モジュール及び回路を、汎用プロセッサ、ディジタル信号プロセッサ（ＤＳＰ）、特定用途向け集積回路（ＡＳＩＣ）、フィールド・プログラマブル・ゲートアレイ信号（ＦＰＧＡ）もしくは他のプログラマブル論理デバイス、ディスクリートゲートもしくはトランジスタ論理、ディスクリート・ハードウェア・コンポーネント、または本明細書で説明される機能を実行するように設計されたその任意の組合せを用いて実施しまたは実行することができる。汎用プロセッサは、マイクロプロセッサとすることができるが、代替案では、プロセッサを、任意の市販のプロセッサ、コントローラ、マイクロコントローラ、または状態機械とすることができる。プロセッサを、コンピューティング・デバイスの組合せ、たとえば、ＤＳＰ及びマイクロプロセッサの組合せ、複数のマイクロプロセッサ、ＤＳＰコアに関連する１つまたは複数のマイクロプロセッサ、あるいは任意の他のそのような構成として実施することもできる。
【０１０７】
本開示に関連して説明された方法またはアルゴリズムのステップを、ハードウェアで直接に、プロセッサによって実行されるソフトウェア・モジュールで、またはこの２つの組合せで実施することができる。ソフトウェア・モジュールは、当技術分野で既知のすべての形の記憶媒体に存在することができる。使用できる記憶媒体のいくつかの例は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭなどを含む。ソフトウェア・モジュールは、単一の命令または多数の命令を備えることができ、複数の異なるコードセグメント上で、異なるプログラムの間で、及び複数の記憶媒体にまたがって分散させることができる。記憶媒体を、プロセッサが記憶媒体から情報を読み取り、記憶媒体に情報を書き込めるように、プロセッサに結合することができる。代替案では、記憶媒体をプロセッサに一体とすることができる。
【０１０８】
本明細書で開示される方法は、説明される方法を達成するための１つまたは複数のステップまたはアクションを備える。方法ステップおよび／またはアクションを、特許請求の範囲の範囲から逸脱せずに互に交換することができる。言い換えると、ステップまたはアクションの特定の順序が指定されない限り、特定のステップおよび／またはアクションの順序および／または使用を、特許請求の範囲の範囲から逸脱せずに変更することができる。
【０１０９】
説明された機能を、ハードウェア、ソフトウェア、ファームウェア、またはその任意の組合せで実施することができる。ソフトウェアで実施される場合に、機能を、コンピュータ可読媒体に１つまたは複数の命令として格納することができる。コンピュータ可読媒体は、コンピュータによってアクセスできる任意の使用可能な媒体とすることができる。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは、命令またはデータ構造の形で所望のプログラムコードを担持するか格納するのに使用でき、コンピュータによってアクセスできる任意の他の媒体を備えることができる。ディスク（ｄｉｓｋ及びｄｉｓｃ）は、本明細書で使用されるときに、コンパクトディスク（ＣＤ）、レーザディスク、光ディスク、ディジタル多用途ディスク（ＤＶＤ）、フロッピディスク及びＢｌｕ−ｒａｙ（登録商標）ディスクを含み、ｄｉｓｋは、通常は磁気的にデータを再生し、ｄｉｓｃは、レーザを用いて光学的にデータを再生する。
【０１１０】
ソフトウェアまたは命令を、伝送媒体を介して伝送することもできる。たとえば、ソフトウェアがウェブサイト、サーバ、または他の遠隔ソースから同軸ケーブル、光ファイバケーブル、より対線、ディジタル加入者回線（ＤＳＬ）、または赤外線、無線及びマイクロ波などの無線テクノロジを使用して伝送される場合に、同軸ケーブル、光ファイバケーブル、より対線、ＤＳＬ、または赤外線、無線及びマイクロ波などの無線テクノロジは、伝送媒体の定義に含まれる。
【０１１１】
さらに、図５〜１０によって示されるものなど、本明細書で説明される方法及び技法を実行するためのモジュールおよび／または他の適切な手段を、適宜、移動体デバイスおよび／または基地局によってダウンロードし、かつ／または他の形で入手することができることを了解されたい。たとえば、そのようなデバイスを、本明細書で説明される方法を実行するための手段の転送を容易にするためにサーバに結合することができる。代替案では、本明細書で説明されるさまざまな方法を、記憶手段（たとえば、ランダムアクセスメモリ（ＲＡＭ）、読取り専用メモリ（ＲＯＭ）、コンパクトディスク（ＣＤ）またはフロッピディスクなどの物理記憶媒体など）を介して提供することができ、移動体デバイスおよび／または基地局が、記憶手段をデバイスに結合するか提供するときにさまざまな方法を入手することができる。さらに、本明細書で説明される方法及び技法をデバイスに提供する任意の他の適切な技法を利用することができる。
【０１１２】
特許請求の範囲が、上で示した正確な構成及びコンポーネントに限定されないことを理解されたい。さまざまな修正、変更及び変形を、特許請求の範囲の範囲から逸脱せずに、本明細書で説明したシステム、方法及び装置の配置、動作及び詳細において行うことができる。
［１］  サラウンド・サウンド・システムでの使用のための処理されたオーディオ信号の第１組及び第２組を生成するように構成された少なくとも１つのプロセッサと、
前記サラウンド・サウンド・システムでの使用のための処理されたオーディオ信号の前記第１組を少なくとも２つのスピーカに供給するように適合された少なくとも１つの出力ポートと、
前記サラウンド・サウンド・システムでの使用のための処理されたオーディオ信号の前記第２組をヘッドホン・スピーカに供給するように適合された出力ポートと、
を備える移動体デバイス。
［２］  処理されたオーディオ信号の前記第１組は、ユーザの前に配置された前記少なくとも２つのスピーカ用に指定されたオーディオ信号である［１］に記載の移動体デバイス。
［３］  処理されたオーディオ信号の前記第１組は、前チャネル処理モジュールから出力される［１］に記載の移動体デバイス。
［４］  処理されたオーディオ信号の前記第２組は、サラウンド・チャネル処理モジュールから出力される［１］に記載の移動体デバイス。
［５］  前記少なくとも１つのプロセッサは、複数のオーディオ・チャネル内のオーディオ信号を処理するように構成された処理モジュールを備え、前記複数のオーディオ・チャネルは、前オーディオ・チャネル及びサラウンド・オーディオ・チャネルを備える［１］に記載の移動体デバイス。
［６］  前記処理モジュールは、前記前オーディオ・チャネルがスピーカ・チャネル内で製作されるようにするために前記前オーディオ・チャネル内の前記オーディオ信号を処理するように構成された前チャネル処理モジュールを備える［５］に記載の移動体デバイス。
［７］  前記処理モジュールは、前記サラウンド・オーディオ・チャネルがヘッドホン・チャネル内で製作されるようにするために、前記サラウンド・オーディオ・チャネル内の前記オーディオ信号を処理するように構成されたサラウンド・チャネル処理モジュールを備える［５］に記載の移動体デバイス。
［８］  前記複数のオーディオ・チャネルは、低周波数効果チャネルをさらに備え、前記処理モジュールは、前記低周波数効果チャネルがヘッドホン・チャネル内で製作されるようにするために、前記低周波数効果チャネル内の前記オーディオ信号を処理するように構成されたサラウンド・チャネル処理モジュールを備える［５］に記載の移動体デバイス。
［９］  前記前オーディオ・チャネルは、左オーディオ・チャネル及び右オーディオ・チャネルを備え、前記処理モジュールは、漏話除去のために前記左オーディオ・チャネル及び前記右オーディオ・チャネル内の前記オーディオ信号を処理するように構成された漏話除去コンポーネントを備える［５］に記載の移動体デバイス。
［１０］  前記処理モジュールは、バイノーラル処理技法を使用して前記サラウンド・オーディオ・チャネル内の前記オーディオ信号を処理するように構成されたバイノーラル処理コンポーネントを備える［５］に記載の移動体デバイス。
［１１］  前記処理モジュールは、前記少なくとも２つのスピーカからユーザの耳までの音響遅延を補償するためにヘッドホン・チャネル経路に遅延を追加するように構成された遅延コンポーネントを備える［５］に記載の移動体デバイス。
［１２］  スピーカ・チャネルとヘッドホン・チャネルとの両方のためのディジタル−アナログ変換を実行するディジタル−アナログ変換器をさらに備える［１］に記載の移動体デバイス。
［１３］  処理されたオーディオ信号の前記第１組のためのディジタル−アナログ変換を実行する少なくとも１つのディジタル−アナログ変換器をさらに備え、処理されたオーディオ信号の前記第２組は、アナログ・データとしてヘッドセットに供給され、処理されたオーディオ信号の前記第２組のためのディジタル−アナログ変換は、前記ヘッドセットによって実行される［１］に記載の移動体デバイス。
［１４］  前記移動体デバイスと前記ヘッドセットとの間に無線リンクがある［１３］に記載の移動体デバイス。
［１５］  前記移動体デバイスと前記ヘッドセットとの間の通信は、Ｂｌｕｅｔｏｏｔｈ（登録商標）プロトコルに従って行われる［１４］に記載の移動体デバイス。
［１６］  前記移動体デバイスと前記ヘッドセットとの間の通信は、米国電気電子技術者協会無線通信プロトコルに従って行われる［１４］に記載の移動体デバイス。
［１７］  サラウンド・サウンド・システムでの使用のための処理されたオーディオ信号の第１組及び第２組を製作することと、
少なくとも２つのスピーカに前記サラウンド・サウンド・システムでの使用のための処理されたオーディオ信号の前記第１組を再生させることと、
ヘッドホンに前記サラウンド・サウンド・システムでの使用のための処理されたオーディオ信号の前記第２組を再生させることと、
を備える、スピーカ及びヘッドホンを使用してサラウンド・サウンドを提供する方法。
［１８］  前記少なくとも２つのスピーカは、ユーザの前に配置される［１７］に記載の方法。
［１９］  処理されたオーディオ信号の前記第１組は、前チャネル処理モジュールから出力される［１７］に記載の方法。
［２０］  処理されたオーディオ信号の前記第２組は、サラウンド・チャネル処理モジュールから出力される［１７］に記載の方法。
［２１］  処理されたオーディオ信号の前記第１組及び前記第２組を製作することは、複数のオーディオ・チャネル内のオーディオ信号を処理することを備え、前記複数のオーディオ・チャネルは、前オーディオ・チャネル、サラウンド・オーディオ・チャネル及び低周波数効果チャネルを備える［１７］に記載の方法。
［２２］  前記複数のオーディオ・チャネル内の前記オーディオ信号を処理することは、
前記前オーディオ・チャネルがスピーカ・チャネル内で製作されるようにするために、前記前オーディオ・チャネル内の前記オーディオ信号を処理することと、
前記サラウンド・オーディオ・チャネルがヘッドホン・チャネル内で製作されるようにするために、前記サラウンド・オーディオ・チャネル内の前記オーディオ信号を処理することと、
前記低周波数効果チャネルが前記ヘッドホン・チャネル内で製作されるようにするために、前記低周波数効果チャネル内の前記オーディオ信号を処理することと、
を備える［２１］に記載の方法。
［２３］  サラウンド・サウンド・システムでの使用のための処理されたオーディオ信号の第１組及び第２組を生成するための手段と、
前記サラウンド・サウンド・システムでの使用のための処理されたオーディオ信号の前記第１組を少なくとも２つのスピーカに供給するための手段と、
前記サラウンド・サウンド・システムでの使用のための処理されたオーディオ信号の前記第２組をヘッドホン・スピーカに供給するための手段と、
を備える移動体デバイス。
［２４］  処理されたオーディオ信号の前記第１組は、ユーザの前に配置された前記少なくとも２つのスピーカ用に指定されたオーディオ信号である［２３］に記載の移動体デバイス。
［２５］  処理されたオーディオ信号の前記第１組は、前チャネル処理モジュールから出力される［２３］に記載の移動体デバイス。
［２６］  処理されたオーディオ信号の前記第２組は、サラウンド・チャネル処理モジュールから出力される［２３］に記載の移動体デバイス。
［２７］  処理されたオーディオ信号の前記第１組及び前記第２組を生成するための前記手段は、複数のオーディオ・チャネル内のオーディオ信号を処理するための手段を備え、前記複数のオーディオ・チャネルは、前オーディオ・チャネル、サラウンド・オーディオ・チャネル及び低周波数効果チャネルを備える［２３］に記載の移動体デバイス。
［２８］  前記複数のオーディオ・チャネル内の前記オーディオ信号を処理するための前記手段は、
前記前オーディオ・チャネルがスピーカ・チャネル内で製作されるようにするために、前記前オーディオ・チャネル内の前記オーディオ信号を処理するための手段と、
前記サラウンド・オーディオ・チャネルがヘッドホン・チャネル内で製作されるようにするために、前記サラウンド・オーディオ・チャネル内の前記オーディオ信号を処理するための手段と、
前記低周波数効果チャネルが前記ヘッドホン・チャネル内で製作されるようにするために、前記低周波数効果チャネル内の前記オーディオ信号を処理するための手段と、
を備える［２７］に記載の移動体デバイス。
［２９］  プロセッサによって実行される時に、前記プロセッサに、
サラウンド・サウンド・システムでの使用のための処理されたオーディオ信号の第１組及び第２組を生成させ、
前記サラウンド・サウンド・システムでの使用のための処理されたオーディオ信号の前記第１組を少なくとも２つのスピーカに供給させ、
前記サラウンド・サウンド・システムでの使用のための処理されたオーディオ信号の前記第２組をヘッドホン・スピーカに供給させる
スピーカ及びヘッドホンを使用してサラウンド・サウンドを提供するための命令を備えるコンピュータ可読媒体。
［３０］  処理されたオーディオ信号の前記第１組は、ユーザの前に配置された前記少なくとも２つのスピーカ用に指定されたオーディオ信号である［２９］に記載のコンピュータ可読媒体。
［３１］  処理されたオーディオ信号の前記第１組は、前チャネル処理モジュールから出力される［２９］に記載のコンピュータ可読媒体。
［３２］  処理されたオーディオ信号の前記第２組は、サラウンド・チャネル処理モジュールから出力される［２９］に記載のコンピュータ可読媒体。
［３３］  処理されたオーディオ信号の前記第１組及び前記第２組を生成することは、複数のオーディオ・チャネル内のオーディオ信号を処理することを備え、前記複数のオーディオ・チャネルは、前オーディオ・チャネル、サラウンド・オーディオ・チャネル及び低周波数効果チャネルを備える［２９］に記載のコンピュータ可読媒体。
［３４］  前記複数のオーディオ・チャネル内の前記オーディオ信号を処理することは、
前記前オーディオ・チャネルがスピーカ・チャネル内で製作されるようにするために、前記前オーディオ・チャネル内の前記オーディオ信号を処理することと、
前記サラウンド・オーディオ・チャネルがヘッドホン・チャネル内で製作されるようにするために、前記サラウンド・オーディオ・チャネル内の前記オーディオ信号を処理することと、
前記低周波数効果チャネルが前記ヘッドホン・チャネル内で製作されるようにするために、前記低周波数効果チャネル内の前記オーディオ信号を処理することと、
を備える［３３］に記載のコンピュータ可読媒体。
［３５］  スピーカ及びヘッドホンを使用してサラウンド・サウンドを提供するための集積回路であって、
サラウンド・サウンド・システムでの使用のための処理されたオーディオ信号の第１組及び第２組を生成し、
前記サラウンド・サウンド・システムでの使用のための処理されたオーディオ信号の前記第１組を少なくとも２つのスピーカに供給し、
前記サラウンド・サウンド・システムでの使用のための処理されたオーディオ信号の前記第２組をヘッドホン・スピーカに供給する
ように構成された集積回路。
［３６］  処理されたオーディオ信号の前記第１組は、ユーザの前に配置された前記少なくとも２つのスピーカ用に指定されたオーディオ信号である［３５］に記載の集積回路。
［３７］  処理されたオーディオ信号の前記第１組は、前チャネル処理モジュールから出力される［３５］に記載の集積回路。
［３８］  処理されたオーディオ信号の前記第２組は、サラウンド・チャネル処理モジュールから出力される［３５］に記載の集積回路。
［３９］  処理されたオーディオ信号の前記第１組及び前記第２組を生成することは、複数のオーディオ・チャネル内のオーディオ信号を処理することを備え、前記複数のオーディオ・チャネルは、前オーディオ・チャネル、サラウンド・オーディオ・チャネル及び低周波数効果チャネルを備える［３５］に記載の集積回路。
［４０］  前記複数のオーディオ・チャネル内の前記オーディオ信号を処理することは、
前記前オーディオ・チャネルがスピーカ・チャネル内で製作されるようにするために、前記前オーディオ・チャネル内の前記オーディオ信号を処理することと、
前記サラウンド・オーディオ・チャネルがヘッドホン・チャネル内で製作されるようにするために、前記サラウンド・オーディオ・チャネル内の前記オーディオ信号を処理することと、
前記低周波数効果チャネルが前記ヘッドホン・チャネル内で製作されるようにするために、前記低周波数効果チャネル内の前記オーディオ信号を処理することと、
を備える［３９］に記載の集積回路。
【図１】
0005450609.tif 000002
【図１Ａ】
0005450609.tif 000003
【図１Ｂ】
0005450609.tif 000004
【図２】
0005450609.tif 000005
【図３】
0005450609.tif 000006
【図３Ａ】
0005450609.tif 000007
【図３Ｂ】
0005450609.tif 000008
【図３Ｃ】
0005450609.tif 000009
【図４】
0005450609.tif 000010
【図５】
0005450609.tif 000011
【図６】
0005450609.tif 000012
【図７】
0005450609.tif 000013
【図８】
0005450609.tif 000014
【図９】
0005450609.tif 000015
【図１０】
0005450609.tif 000016
【図１１】
0005450609.tif 000017
【図１２】
0005450609.tif 000018